(57)【要約】      （修正有）【課題】前室内において照明効果を得ることができる火葬炉とその前室照明方法を提供する。【解決手段】炉前ホール４と燃焼室２との間に前室５を設けた火葬炉において、前室５の内壁に複数の発光体を設けたから、前室５に設けた発光体により、前室５内の照明効果を得ることができる。また、複数の発光体の点灯する順番を制御するから、前室５へのお棺の移動の際に発光体の点灯する順番を制御し、例えば移動に伴って発光体を点灯するなどして演出効果を高めることができる。さらに、発光体の照射方向を可変に設けた場合は、照射方向を変えることにより静止した照明に比べて高い照明効果を得ることができる。【選択図】図１
2011027278.tif 000002
【特許請求の範囲】
【請求項１】
炉前ホールと燃焼室との間に前室を設けた火葬炉において、前記前室の内壁に照明手段を設けたことを特徴とする火葬炉。
【請求項２】
前記照明手段を複数設けたことを特徴とする請求項１記載の火葬炉。
【請求項３】
前記照明手段の照射方向を可変に設けたことを特徴とする請求項２記載の火葬炉。
【請求項４】
請求項１記載の火葬炉の前室照明方法において、複数の前記照明手段の点灯する順番を制御することを特徴とする火葬炉の前室照明方法。
【請求項５】
前記複数の前記照明手段の輝度を調節することを特徴とする請求項４記載の火葬炉の前室照明方法。
【請求項６】
前記照明手段の照明方向を変えることを特徴とする請求項４記載の火葬炉の前室照明方法。
【発明の詳細な説明】
【技術分野】
【０００１】
本発明は、前室を備えた火葬炉において、前室に照明手段を設けた火葬炉とその前室照明方法に関する。
【背景技術】
【０００２】
従来、この種の火葬炉として、火葬炉の前方の経路の途中に前室として予備室を設けたもの（例えば特許文献１），火葬炉の側方の経路の途中に前室として予備室を設けたもの（例えば特許文献２），火葬炉と葬祭場の前ホールとの間に前室を設けたもの（例えば特許文献３），火葬炉の前方に前室を設けたもの（例えば特許文献４）などがあり、前室を設けることにより炉内が見えなくなり、遺族に不快感を与えることがなく、また、前室において耐火台車を速やかに冷却することができる。
【０００３】
また、前室では火葬の前に最後のお別れが行われ、台車と共に火葬炉の燃焼室内に送り込まれる棺を、遺族が見送ることとなる。
【０００４】
ところで、この種の火葬炉に関連して、お棺内に遺体の頭部を照明する電灯（例えば特許文献５）や、遺体保冷庫内に照明灯を設けたもの（例えば特許文献６）があるが、最後のお別れをする前室の照明については何等考慮されていなかった。
【先行技術文献】
【特許文献】
【０００５】
【特許文献１】実公昭５３−３５９８４号公報
【特許文献２】実公昭５３−３５９８５号公報
【特許文献３】特開平９−２９６９１６号公報
【特許文献４】特開１０−９５２６号公報
【特許文献５】特開平９−２９９４１７号公報
【特許文献６】特開平６−７４０２号公報
【発明の概要】
【発明が解決しようとする課題】
【０００６】
そこで、本発明は、前室内において照明効果を得ることができる火葬炉とその前室照明方法を提供することを目的とする。
【課題を解決するための手段】
【０００７】
本発明は、炉前ホールと燃焼室との間に前室を設けた火葬炉において、前記前室の内壁に照明手段を設けたものである。
【０００８】
また、本発明は、前記照明手段を複数設けたものである。
【０００９】
また、本発明は、前記照明手段の照射方向を可変に設けたものである。
【００１０】
本発明は、請求項１記載の火葬炉の前室照明方法において、複数の前記照明手段の点灯する順番を制御する照明方法である。
【００１１】
また、本発明は、前記照明手段の光量を調整する照明方法である。
【００１２】
また、本発明は、前記照明手段の照明方向を変える照明方法である。
【発明の効果】
【００１３】
上記構成によれば、前室に設けた照明手段により、前室内の照明効果が得られる。
【００１４】
また、複数の照明手段により高い照明効果が得られる。
【００１５】
さらに、照射方向を変えることにより静止した照明に比べて高い照明効果が得られる。
【００１６】
前室へのお棺の移動の際に照明手段の点灯する順番を制御することにより、演出効果が得られる。
【００１７】
また、前室におけるお別れの際や燃焼室へお棺の移動の際などに照明手段の光量を調整することにより、照明による演出効果が得られる。
【００１８】
また、照射方向を変えることにより演出効果を高めることができる。
【図面の簡単な説明】
【００１９】
【図１】本発明の実施例１を示す一部を断面にした側面図である。
【図２】同上、前室の正面図である。
【図３】同上、前室の背面図である。
【図４】同上、前室の平面図である。
【図５】同上、防音パネルの断面図である。
【図６】同上、防音パネルの接続縁の断面図である。
【図７】同上、防音パネルの接続箇所の断面図である。
【図８】同上、給気口回りの断面図である。
【図９】同上、お棺の移動と照明との関係を示す断面図であり、図９（Ａ）は第１の照明手段が点灯した状態を示し、図９（Ｂ）は第２の照明手段が点灯した状態を示す。
【図１０】同上、照明手段の輝度と時間の関係を示す説明図である。
【図１１】本発明の実施例２を示す照明手段の斜視図である。
【発明を実施するための形態】
【００２０】
本発明における好適な実施の形態について、添付図面を参照しながら詳細に説明する。尚、以下に説明する実施の形態は、特許請求の範囲に記載された本発明の内容を限定するものではない。また、以下に説明される構成の全てが、本発明の必須要件であるとは限らない。各実施例では、従来とは異なる新規な火葬炉を採用することにより、従来にない火走炉が得られ、その火葬炉とその前室照明方法について記述する。
【実施例１】
【００２１】
以下、本発明の実施例１について、図１〜図１０を参照して説明する。図１に示すように、火葬炉１は燃焼室２を備え、この燃焼室２の前側には耐荷扉３が設けられ、前記燃焼室２と炉前ホール４との間に前室５が設けられ、前記炉前ホール４と前室５との間には化粧扉６が設けられている。
【００２２】
前記前室５は、防音壁である側壁１１，１１と、天井壁１２とを備え、長手方向両側である前後に開口部１３，１３Ａが設けられている。前記側壁１１及び天井壁１２は、複数の防音パネル１４からなる。
図５〜図７に示すように、その防音パネル１４は、吸音部材であるグラスウール１５の内外面を、遮音部材である石膏ボード１６，１６で挟み、グラスウール１５を挟んだ石膏ボード１６，１６の外面を遮音シート１７で覆い、その遮音シート１７の上にステンレス板からなる化粧板１８を設けてなる。尚、グラスウール１５は、石膏ボード１６より厚く、例えば石膏ボード１６の４倍以上の厚さを有する。
【００２３】
また、防音パネル１４の接続縁１４Ｆには、略コ字型の金属製骨材１９を配置し、この骨材１９は、グラスウール１５の縁を囲むように設けられ、両側の端部１９Ａ，１９Ａがグラスウール１５と石膏ボード１６に挟まれ、その中央部１９Ｂがグラスウール１５の縁と前記遮音シート１７とに挟まれており、前記接続縁１４Ｆにおいて、前記中央部１９Ｂ，遮音シート１７及び化粧板１８に透孔２１を穿設し、一方の骨材１９等の透孔２１と他方の骨材１９等の透孔２１とワッシャ２３とにボルト２２を挿通し、このボルト２２にナット２４を螺合することにより、隣合う防音パネル１４，１４同士を接合する。そして、図１などに示したように、前記側壁１１及び天井壁１２は複数（４枚）の防音パネル１４を並べると共に接合して形成されている。
【００２４】
前記前室５には、給気口３１と排気口３２が設けられ、この排気口３１は、天井壁１２に一箇所設けられ、その排気口３１に排気管３３を設け、この排気管３３に吸気装置３４を接続している。
【００２５】
前記給気口３１は側壁１１の下部側に複数設けられ、この例では、側壁１１を構成する複数の防音パネル１４にそれぞれ開設され、横長な長方形形状をなす。図８に示すように、前記給気口３１は防音パネル１４の内外を貫通し、その給気口３１の下縁に断面Ｌ字の取付部３５を設け、この取付部３５は石膏ボードからなり、断面Ｌ型を形成する横部３５Ａと縦部３５Ｂとを備え、この縦部３５Ｂの外面に吸音部材たるグラスウール３６を設け、このグラスウール３６は、４０ｍｍ以上の厚さで略一定厚さをなし、前記給気口３１の外側の一側である下側を覆うように配置されている。また、横部３５Ａの上面と縦部３５Ｂの内面とを連続するように遮音シート３７が設けられ、前記グラスウール３６の下面と横部３５Ａの下面と横部３５Ａの取付位置下方の防音パネル１４の外面とに連続して遮音シート３７Ａが設けられている。尚、グラスウール３６の面積は給気口３１の２分の１以上、４分の３以下とすることが好ましく、２分の１未満であると隙間４６が大きくなる防音効果が低下し、４分の３を超えると、隙間４６が小さくなり、給気効率が低下するからである。
【００２６】
さらに、防音パネル１４の外面には、前記グラスウール３６の外側から前記給気口３１を覆うように、フード３８が設けられ、このフード３８は給気口３１の上縁と左右両側の縁とに取り付けられ、内側から石膏ボード３９，防音シート４０，ステンレスなどからなる外板材４１を積層してなり、前記フード３８は上面部３８Ａと斜面部３８Ｂと前面部３８Ｃとを有する。尚、前記外板部４１は、その上縁４１Ａが前記防音パネル１４の外面に添い、その下縁４１Ｂが石膏ボード３９の下縁を覆うように内側に折曲げ形成されている。
【００２７】
このように防音壁に排気口３２を開設し、この給気口３２の外側に設けられ外気を導入するフード３８と、このフード３８内に設けられた吸音部材たるグラスウール３６とを備え、また、給気口３２の外側の一側をグラスウール３６により覆い、このグラスウール３６の外側の他側をフード３８により覆い、このフード３８は少なくとも給気口３２とグラスウール３６の隙間４６を覆い、グラスウール３６とフード３８との間に外部に連通する連通路４２を設けており、防音効果に優れたものとなる。この連通路４２は前記給気口３１に連通し、この給気口３１内には、アルミニューム製のガラリ４３が設けられ、このガラリ４３は、複数の斜め板４４，４４・・・を上下に間隔を置いて配置し、それら複数の斜め板４４，４４・・・間に通気路４５を設けたものである。
【００２８】
また、前記前室５の炉側には、防音パネル１４と同一部材により門型部５１を設け、この門型部５１内に前記開口部１３Ａが設けられており、この開口部１３Ａを開閉するシャッタ５２を設けている。
【００２９】
そして、台車２６とお棺２５を前室５に収納し、シャッタ５２により炉側の開口部１３Ａを閉めた状態とする。この状態で化粧扉６を開いても、前室５は防音壁からなる側壁１１と天井壁１２に覆われているため、外部の機械設備の駆動音などが遮音される。また、給気口３１の外側を覆うように、吸音材料たるグラスウール３６が設けられているため、給気口３１を通して外部の音が侵入することを防止でき、前室５内における騒音を抑えることができ、火葬前の最後のお別れを、従来より静かな雰囲気で行うことができる。
【００３０】
そして、台車とお棺を燃焼室２に移動し、火葬を開始し、火葬が終了した後、台車を前室５に移動し、燃焼室２の耐荷扉３を閉じ、シャッタ５２を閉じ、化粧扉６は閉じた状態で、吸気装置３４を駆動する。吸気装置３４の駆動により、給気口３１から空気が取り込まれ、排気口３２から排気されることにより、前室５内が換気冷却される。その際、給気口３１から導入された外気の流れる音が、吸音部材であるグラスウール３６により吸音され、換気冷却に伴う騒音が前室５から炉前ホール４に漏れることもない。
【００３１】
上記のような火葬炉１において、本実施例では、照明手段を備え、以下、これについて詳述する。前記天井壁１２の下面には、照明手段たる発光体６１が複数配置され、それら発光体６１が左右に４個ずつ前後に並んで設けられ、また、その下面の中央には補助発光体６２が設けられている。そして、前記天井壁１２の下面に凹部を形成し、この凹部に半円型のドーム部６３を設け、このドーム部６３内に前記発光体６１を収納し、前記ドーム部６３の内面は、銀色の光反射面６３Ａに形成されている。前記発光体６１には、電球やＬＥＤなどが用いられ、発光色が黄色系のものが好ましい。尚、発光体６１の発光色に黄色系のものと白色のものとを選択的に用い、モニター１０名に感想を聞いたところ、９名が黄色系のものが好ましいという結果が得られた。
【００３２】
また、前記補助発光体６２には、電球やＬＥＤなどが用いられ、発光色が昼光色のものが好ましい。さらに、発光体６１は前後に並んで少なくとも２個配置するが、３個以上とすることが好ましく、本実施例では４個を採用している。
【００３３】
また、前記複数の発光体６１及び補助発光体６２は照明制御手段６４により点灯が制御され、その照明制御手段６４には操作手段６５が接続されている。尚、以下の制御は、照明制御手段６２による自動制御により行ってもよいし、操作手段６５などを用いた手動制御でもよい。
【００３４】
そして、前記照明制御手段６４に予め記憶したプログラムにより以下のように発光体６１の照明を以下のように制御したり、操作手段６４を用いて手動で発光体６１の照明を以下のように制御する。
【００３５】
以下、開口部１３側から開口部１３Ａに並んだ発光体を、第１〜第４の発光体６１と称して説明すると、制御の一例として、前室５の化粧扉６を開き、開口部１３からお棺６６を台車６７に乗せて前室５内に移動し、図９に示すように、台車６７の移動に伴い、開口部１３側から第１の発光体６１（図９（Ａ）），第２の発光体６１（図９（Ｂ）），第３の発光体６１，第４の発光体６１が順次点灯していく。この場合、お棺６６が所定位置、例えば前端部６６Ａが発光体６１の略真下に達したい時にその発光体６１を点灯し、移動に伴い、左右で２個、４個、６個、８個の発光体６１が点灯するようにすることができる。尚、操作手段６５により手動で操作してもよいし、図示しないセンサを設け、センサにより前端部を検出し、照明制御手段６４の制御により、上記の点灯を制御してもよいし、台車６７の移動のタイミングにより制御してもよく、手動以外は照明制御手段６４により制御するようにすればよい。そして、発光体６１はお棺６７の移動方向に４個並んでいる。
【００３６】
このように順次発光体６１が点灯していくことにより、照明の演出効果が得られる。
【００３７】
図１０を参照して説明すると、全ての発光体６１が点灯したら、炉前ホール４で遺族が最後のお別れを行い、お別れの儀式が終了（「儀式終了：）したら、全ての発光体６１の輝度を徐々に下げて消灯の前に化粧扉６を閉めたり（「化粧扉閉成Ｉ」）、或いは輝度を
徐々に下げて消灯と同時かそれ以降に、化粧扉６を閉める「化粧扉閉成ＩＩ」。
【００３８】
尚、最後のお別れの儀式が終了したら、第４の発光体６１から第１の発光体６１へと順次発光体６１を消灯して前室の照明を暗くした後、化粧扉６を閉めるようにしてもよい。
【００３９】
このように全ての発光体６１の輝度を徐々に下げたり、順次消灯したりすることにより、最後のお別れを厳粛に行うことができる。
【００４０】
以上のように上記構成を備えた富士式の儀式対応型前室にあっては、あたかも、おくり灯のような照明効果が得られ、静寂と光につつまれたなかで、個人と最後のお別れを厳かに行うことができる。
【００４１】
このように本実施例では、炉前ホール４と燃焼室２との間に前室５を設けた火葬炉において、前室５の内壁に照明手段たる発光体６１を設けたから、前室５に設けた発光体６１により、前室５内の照明効果を得ることができる。
【００４２】
また、このように本実施例では、照明手段たる発光体６１を複数設けたから、高い照明効果が得られる。
【００４３】
このように本実施例では、請求項１記載の火葬炉の前室照明方法において、複数の照明手段たる発光体６１の点灯する順番を自動又は手動で制御するから、前室５へのお棺６６の移動の際に発光体６１の点灯する順番を制御することにより、演出効果が得られる。
【００４４】
また、このように本実施例では、複数の照明手段たる発光体６１の輝度を調節することにより、前室５におけるお別れの際や燃焼室２へお棺６６の移動の際などに発光体６１の光量を調整することにより、照明による演出効果が得られる。
【００４５】
また、実施例上の効果として、前後方向に並んで位置の異なる複数の照明体６１の点灯、消灯、輝度をそれぞれ別々に制御することにより、高い照明効果が得られる。この場合、前後位置の同じ左右の照明体６１は同じ点灯、消灯、輝度状態とすることができる。また、前室５にお棺６６が入っていくに連れて開口部１３側から発光体６１が順次点灯することにより、高い演出効果が得られ、開口部１３が閉まる前に発光体６１が消灯又は輝度が下がることにより、お別れを厳粛に行うことができる。尚、お棺６６が前室５に入った後、第１〜第４の照明体６１が開口部１３側から順次点灯してもよく、左右に並んだ照明体６１，６１を別々のタイミングで点灯してもよいが、この場合も、少なくとも、第１〜第４の照明体６１が開口部１３側から順次点灯すれば、所定の照明効果を得ることができる。
【００４６】
また、実施例上の効果として、炉前ホール４と燃焼室２との間に前室５を設けた火葬炉１において、前室５が防音壁たる側壁１１及び天井壁１２を備えるから、前室５内の防音効果を高めることができる。また、前室５に給気口３１と排気口３２を設けたから、給気口３１と排気口３２により、前室５の冷却及び換気を行うことができる。また、防音壁たる側壁１１に給気口３１を開設し、この給気口３１の外側又は内側に吸音部材たるグラスウール１５を設けたから、外部の音をグラスウール１５により吸音することにより、騒音を低減できる。さらに、吸音部材たるグラスウール１５と給気口３１の隙間４６をフード３８により覆ったから、外部の音をグラスウール１５により吸音することにより、騒音を低減でき、また、給気口３１がフード３８により隠れるため、前室５内から給気口３１を通して外部が視認されることがなく、さらに、フード３８により、前室５の外部から不要な光が前室５に侵入することもない。さらにまた、前室５の燃焼室２側にシャッタ５２を設けたから、シャッタを閉めることにより火葬炉で発生した音の侵入を防止できる。
【実施例２】
【００４７】
図１１は、本発明の実施例２を示し、上記実施例１と同一部分に同一符号を付し、その詳細な説明を省略して詳述する。この例では、前記天井壁１２の下面にベース７１を設け、このベース７１に一対のアーム７２，７２を、垂直軸を中心として回転駆動可能に設け、前記アーム７２，７２の先端に照明ケース７３を、水平軸を中心として回転駆動可能に設け、その照明ケース７３内に前記発光体６１を収納し、この発光体６１の向きを前後左右に揺動可能に設けている。尚、この例でも発光体６１は実施例１と同様に前室５に配置されている。
【００４８】
したがって、実施例１の制御による演出に加えて、発光体６１の照明方向を変えることにより高い照明効果を得ることができる。
【００４９】
このように本実施例では、上記実施例１と同様な作用・効果を奏し、また、このように本実施例では、照明手段たる発光体６１の照射方向を可変に設けたから、照射方向を変えることにより静止した照明に比べて高い照明効果が得られる。
【００５０】
さらに、このように本実施例では、照明手段たる発光体６１の照明方向を変えるから、照明による演出効果を高めることができる。
【００５１】
なお、本発明は、前記実施例に限定されるものではなく、種々の変形実施が可能である。例えば、実施例では、図１０に示すように、発光体の輝度を連続して徐々に下げるようにしたが、段階的に下げるようにしてもよい。また、前後方向に長い前室と燃焼室を並べて配置し、前室の後側から燃焼室に台車を移動するように構成したが、前室と燃焼室とを幅方向に並べて配置し、前室の側部を開口し、この開口から燃焼室に台車を横移動するようにしてもよい。また、実施例では、吸音部材を給気口の外側に設けたが、内側に設けてもよい。
【符号の説明】
【００５２】
１  火葬炉
２  燃焼室
４  炉前ホール
５  前室
１１  側壁
１２  天井壁
１３，１３Ａ  開口部
１４  防音パネル
１５  グラスウール（吸音部材）
１６  石膏ボード（遮音部材）
３１  給気口
３２  排気口
３６  グラスウール（吸音部材）
５２  シャッタ
６１  電球（照明手段）
６６  お棺
６７  台車
【図１】
2011027278.tif 000003
【図２】
2011027278.tif 000004
【図３】
2011027278.tif 000005
【図４】
2011027278.tif 000006
【図５】
2011027278.tif 000007
【図６】
2011027278.tif 000008
【図７】
2011027278.tif 000009
【図８】
2011027278.tif 000010
【図９】
2011027278.tif 000011
【図１０】
2011027278.tif 000012
【図１１】
2011027278.tif 000013